(57)【要約】【課題】襦袢の着付けに慣れていない人が自分一人だけで襦袢を容易且つきれいに着ることができるようにする。【解決手段】前身頃１０と、前身頃１０に向かい合い、前身頃１０に連結されている後ろ身頃１２と、前身頃１０及び後ろ身頃１２に連結されている衿１４とを備えた襦袢において、後ろ身頃１２に、背中又は腰の高さ位置で、後ろ身頃１２の幅方向の全部又は一部に、背中心と略直交する状態で、紐状又はベルト状の固定手段１６を取り付け、固定手段１６の、後ろ身頃１２に取り付けられている固定部１６ａ以外の自由部１６ｂを、前身頃１０を巻き込むことなく、身体に巻き付け可能とした。【選択図】図１
2020033669.tif 000002
【特許請求の範囲】
【請求項１】
前身頃と、該前身頃に向かい合い、該前身頃に縫製・連結されている後ろ身頃と、該前身頃及び該後ろ身頃に縫製・連結されている衿と、該後ろ身頃のみを身体に固定する紐状又はベルト状の固定手段とを備え、該固定手段は、該後ろ身頃の背中又は腰の高さ位置で、該後ろ身頃の幅方向の全部又は一部に、背中心と略直交する状態で連結されている固定部と、該後ろ身頃に連結されていない自由部とからなることを特徴とする襦袢。
【請求項２】
前記固定手段の固定部が前記後ろ身頃の外側面に連結され、該後ろ身頃と前記前身頃が、背中又は腰の高さ位置で、連結されることなく離れていることを特徴とする請求項１に記載の襦袢。
【請求項３】
前記固定手段の固定部が前記後ろ身頃の外側面に連結され、該後ろ身頃の背中又は腰の高さ位置で、該固定手段が取り付けられた部分より前身頃側に、該固定手段の自由部を挿入することができるスリットが設けられていることを特徴とする請求項１に記載の襦袢。
【請求項４】
前記後ろ身頃の内側面に前記固定手段の固定部が取り付けられていることを特徴とする請求項１に記載の襦袢。
【請求項５】
前記固定手段がベルト又は紐であることを特徴とする請求項１〜４のいずれかに記載の襦袢。
【請求項６】
前記衿の下方部に一対の衿下ベルトが各々取り付けられていることを特徴とする請求項１に記載の襦袢。
【請求項７】
袖を備えていることを特徴とする請求項１〜６のいずれかに記載の襦袢。
【請求項８】
前記袖が着脱可能になっていることを特徴とする請求項７に記載の襦袢。
【請求項９】
前記前身頃の胸付近にパッドが各々取り付けられていることを特徴とする請求項１に記載の襦袢。
【発明の詳細な説明】
【技術分野】
【０００１】
本発明は、着物の下に着る襦袢に関するものである。
【背景技術】
【０００２】
襦袢は、着物の下に重ねて着る被服であり、着物を着るときの下着のようなものである。着物の下に襦袢を着ることによって、着物を着ている人の肌が着物に直接、接触しないので、着物を着る人の肌の汚れや汗によって着物が汚れるのを防いでいる。襦袢の衿は首に直接、接触して汚れ易いので、洗濯できるように、取り外し可能になっている。
【０００３】
襦袢は着物と同じような構造をしている。ただ、一般に、着物の衿元には衿が付いていないが、襦袢の衿元には衿が付いている。襦袢の上に着物を着ると、襦袢の殆どの部分は着物の下に隠れるが、衿の部分は着物の衿元から外に出て、見えている状態になる。
【０００４】
襦袢には種々の色や柄のものがあり、襦袢の色や柄を変えることによって季節を楽しむことができる。また、襦袢の衿の色と着物の色とを組み合わせることによって、おしゃれを楽しむことができる。
【０００５】
襦袢は，一般に、次のようにして着付ける。まず、図８に示すように、襦袢を身体に羽織り、羽織った襦袢の左右の前身頃１０，１０を身体の前で重ね合わせながら、身体に巻き付ける。次に、重ね合わせた左右の前身頃１０，１０を一方の手（図では右手）で押さえながら、他方の手（図では左手）で後ろ身頃１２の背中心Ｓ付近を摘んで矢印Ｃに示すように下方に引っ張る（第一ステップ）。
【０００６】
後ろ身頃１２の背中心Ｓ付近を摘んで下方に引っ張ると、衿１４が自然に立つ。衿１４を立てるのは、衿１４を立てることにより、着物を着ている女性のうなじを少し露出させ、着物がかもし出す特有の雰囲気を出させるためである。襦袢の後ろ身頃１２の背中心Ｓ付近を下方に引っ張って、襦袢の衿１４を立てることを、襦袢の衿りを抜くという。
【０００７】
襦袢の衿１４を抜いた後、他方の手（図では左手）でそのまま後ろ身頃１２の背中心Ｓ付近を押さえて、抜いた衿１４が元の状態に戻らないようにしながら、図９に示すように、衿１４の下部を一方の手（図では右手）で矢印Ｄに示すように引っ張って、前身頃１０の側の衿１４の位置及び形を整える（第二ステップ）。
【０００８】
次に、襦袢のこの状態を崩さないように、身体の前側を一方の手（図では右手）で押さえながら、予め用意した腰紐２０を一方の手（図では右手）で掴み、図１０に示すように、腰紐２０を身体の前側で、ウエストの高さ位置から背側に向けて素速く廻してウェストに巻き付ける（第三ステップ）。襦袢は、ウェストに巻き付けた腰紐２０により、上記のように整えた状態のまま、身体に固定される。
【０００９】
ウェストに巻き付けた腰紐２０は、図１１に示すように、ウェストの背側で交わらせてウェストの前側に戻し（第四ステップ）、図１２に示すように、戻した腰紐２０をウェストの前側で結び、腰紐２０の両端部を腰紐２０と襦袢の間にそれぞれ挟み込む。後ろ身頃１２の背中心Ｓを他方の手（図では左手）で再度摘んで下方に少し引っ張り、衿１４を少し抜いて、衿１４の形を整える（第五ステップ）。
【００１０】
襦袢の前身頃１０と後ろ身頃１２の幅はゆったりできているので、襦袢の前身頃１０と後ろ身頃１２を上記のように腰紐２０でウェストに固定したとき、ウェストの周囲には偏った部分や縦皺ができ易い。ウェストの周囲にできた偏った部分や縦皺は手で少し引っ張ってウェストの周囲に分散させる。
【００１１】
以上で襦袢の着付けは終わりであるが、襦袢の着付は、上述したように、あちこちの箇所を押さえたり引っ張ったりする動作が２以上必要なのに、２つの手だけで襦袢のあちこちの箇所を綱渡りのように押さえたり、引っ張ったりしなければならないので、襦袢の着付けに慣れていない人は、襦袢を一人で着付けることがとても難しいという問題があった。
【００１２】
また、襦袢の着付けに慣れていない人は、襦袢を一人で着付けることがこのようにとても難しいので、襦袢を一人できれいに着付けることが難しく、また、着付けるのにとても時間がかかるという問題もあった。
【先行技術文献】
【特許文献】
【００１３】
【特許文献１】実全昭６３−０８５６０１号公報
【非特許文献】
【００１４】
【非特許文献１】別冊家庭画報「長襦袢の着こなし入門」富岡啓子編  笹島寿美監修  ２００８年  株式会社世界文化社発行
【発明の概要】
【発明が解決しようとする課題】
【００１５】
本発明が解決しようとする課題は、襦袢の着付けに慣れていない人が自分一人だけで襦袢を容易且つきれいに着ることが難しい点である。
【課題を解決するための手段】
【００１６】
本発明は、襦袢の着付けに慣れていない人が自分一人だけで襦袢を容易且つきれいに着ることができるようにするため、後ろ身頃に、背中又は腰の高さ位置で、該後ろ身頃の幅方向の全部又は一部に、背中心と略直交する状態で、紐状又はベルト状の固定手段を取り付け、該固定手段の、該後ろ身頃に取り付けられている部分以外の自由部を、該前身頃を巻き込むことなく、身体に巻き付け可能としたことを最も主要な特徴とする。
【００１７】
ここで、該固定手段の、該後ろ身頃に取り付けられている部分以外の自由部を、該前身頃を巻き込むことなく、身体に巻き付け可能とする具体例としては、前記固定手段を前記後ろ身頃の外側面に取り付け、該後ろ身頃と前記前身頃を、背中又は腰の高さ付近で、縫製せずに離しておく構造のものを挙げることができる。
【００１８】
また、該固定手段の、該後ろ身頃に取り付けられている部分以外の自由部を、該前身頃を巻き込むことなく、身体に巻き付け可能とする別の具体例としては、前記固定手段を前記後ろ身頃の外側面に取り付け、該後ろ身頃の背中又は腰の高さ付近で、該固定手段が取り付けられた部分より前身頃側に、該固定手段の前記自由部を挿入することができるスリットを設けた構造のものを挙げることができる。
【００１９】
また、該固定手段の、該後ろ身頃に取り付けられている部分以外の自由部を、該前身頃を巻き込むことなく、身体に巻き付け可能とする更に別の具体例としては、前記固定手段を前記後ろ身頃の内側面に取り付けた構造のものを挙げることができる。このような構造のものは、従来のタイプの襦袢を本発明のタイプの襦袢に容易に改変・加工することができる。
【００２０】
また、前記衿の下方部には一対の衿下ベルトを各々取り付けてもよい。衿の下方部に一対の衿下ベルトを各々取り付けた場合は、形を整えた衿をそのままの形で固定させることができる。また、衿下ベルトはゴム紐を用いて伸縮可能なものにしてもよい。そのようにした場合は、衿下ベルトの使い勝手が良くなる。
【００２１】
また、襦袢の袖付けに取り付けられている袖は着脱可能に設けてもよい。そのようにした場合は、種々のタイプの着物の襦袢として共用することができる。また、前身頃の胸付近にパッドを各々取り付けてもよい。そのようにした場合は、タオルなどを用いて行う胸元の補正を別途行わなくて済む。
【発明の効果】
【００２２】
本発明の襦袢は、後ろ身頃に、背中又は腰の高さ位置で、該後ろ身頃の幅方向の全部又は一部に、背中心と略直交する状態で、紐状又はベルト状の固定手段を取り付け、該固定手段の、該後ろ身頃に取り付けられている部分以外の自由部を、該前身頃を巻き込むことなく、身体に巻き付け可能としたので、抜いた衿を先に固定し、その後、前身頃を身体に巻き付けて固定することができ、従って、襦袢の着付けに慣れていない人でも、襦袢を一人で容易且つきれいに着ることができるという利点がある。
【図面の簡単な説明】
【００２３】
【図１】図１は本発明に係る襦袢を背面側から見た説明図である。
【図２】図２は本発明に係る襦袢を正面側から見た説明図である。
【図３】図３は本発明に係る襦袢を着付ける際の第一ステップを示す説明図である。
【図４】図４は本発明に係る襦袢を着付ける際の第二ステップを示す説明図である。
【図５】図５は本発明に係る襦袢を着付ける際の第三ステップを示す説明図である。
【図６】図６は本発明に係る襦袢を着付ける際の第四ステップを示す説明図である。
【図７】図７は本発明に係る襦袢を着付ける際の第五ステップを示す説明図である。
【図８】図８は従来の襦袢を着付ける際の第一ステップを示す説明図である。
【図９】図９は従来の襦袢を着付ける際の第二ステップを示す説明図である。
【図１０】図１０は従来の襦袢を着付ける際の第三ステップを示す説明図である。
【図１１】図１１は従来の襦袢を着付ける際の第四ステップを示す説明図である。
【図１２】図１２は従来の襦袢を着付ける際の第五ステップを示す説明図である。
【発明を実施するための形態】
【００２４】
襦袢を一人で容易且つきれいに着ることができるようにするという目的を、襦袢の構造を大幅に変えることなく、襦袢の着心地を損なわずに実現した。
【実施例１】
【００２５】
図１は本発明に係る襦袢を背面側から見た説明図、図２は本発明に係る襦袢を正面側から見た説明図である。これらの図において、１０は前身頃であり、前身頃１０には後ろ身頃１２が、前身頃１０と向かい合った状態で、縫製・連結されている。前身頃１０と後ろ身頃１２が形成している衿元には衿１４が縫製・連結されている。
【００２６】
後ろ身頃１２には、背中又は腰の高さ位置で、後ろ身頃１２の幅方向の全部又は一部に、背中心と略直交する状態で、紐状又はベルト状の固定手段１６が取り付けられている。固定手段１６は、後ろ身頃１２に取り付けられている固定部１６ａと、後ろ身頃１２に取り付けられていない自由部１６ｂとからなる。固定手段１６の自由部１６ｂは、前身頃１０を巻き込むことなく、身体に巻き付け可能になっている。
【００２７】
ここで、固定手段１６の自由部１６ｂを、前身頃１０を巻き込むことなく、身体に巻き付け可能とする具体例としては、固定手段１６を後ろ身頃１２の外側面に取り付け、後ろ身頃１２と前身頃１０を、背中又は腰の高さ付近で、縫製せずに離しておく構造のものを挙げることができる。すなわち、図１及び図２に示すように、前身頃１０と後ろ身頃１２は、袖付け止まり〜矢印Ｂで示す鼠蹊部の高さより上の部分は縫われておらず、離れていて、矢印Ｂより下の部分だけが縫われて閉じている。
【００２８】
また、固定手段１６の自由部１６ｂを、前身頃１０を巻き込むことなく、身体に巻き付け可能とする別の具体例としては、固定手段１６を後ろ身頃１２の外側面に取り付け、後ろ身頃１２の背中又は腰の高さ付近で、固定手段１６が取り付けられた部分より前身頃１０の側に、固定手段１６の自由部１６ｂを挿入することができるサイズのスリット（図示せず）を設けたものを挙げることができる。
【００２９】
また、固定手段１６の自由部１６ｂを、前身頃１０を巻き込むことなく、身体に巻き付け可能とする更に別の具体例としては、固定手段１６を後ろ身頃１２の内側面に取り付けたものを挙げることができる。この場合、後ろ身頃１２と前身頃１０を、背中又は腰の高さ付近で、縫製せずに離しておく構造のものでもよいが、後ろ身頃１２と前身頃１０を背中又は腰の高さ付近で縫製・連結されていてもよい。このようにする場合は、従来タイプの襦袢を本発明タイプの襦袢に容易に改変・加工することができる。
【００３０】
また、衿１４の下方部には一対の衿下ベルト１８，１８を各々取り付けてもよい。衿１４の下方部に一対の衿下ベルト１８，１８を各々取り付けた場合は、形を整えた衿１４をそのままの形で固定させることができる。また、衿下ベルト１８はゴム紐を用いて伸縮可能なものにしてもよい。そのようにした場合は、衿下ベルト１８の使い勝手が良くなる。
【００３１】
また、襦袢に取り付けられている袖は着脱可能に設けてもよい。そのようにした場合は、種々のタイプの着物の襦袢として共用することができる。また、前身頃１０の胸付近にパッドを各々取り付けてもよい。そのようにした場合は、胸元の補正を別途行わなくて済む。
【００３２】
次に、図３〜図７を参照しながら、本発明に係る襦袢の着付けの仕方について説明する。
【００３３】
まず、図３に示すように、本発明に係る襦袢を身体に羽織り、左右の手を後ろに回し、後ろに回した左右の手で固定手段１６の途中を各々持ち、固定手段１６を下方に引っ張る。固定手段１６は後ろ身頃１２の背面側に縫製・連結されているので、後ろ身頃１２が衿１４と共に、矢印Ａに示すように、下方に引っ張られ、衿１４が抜かれる（第一ステップ）。
【００３４】
ここで、後ろ身頃１２の背中又は腰の高さ付近は固定手段１６の固定部１６ａとともに幅方向に引っ張られるので、後ろ身頃１２は、背中又は腰の高さ付近において、皺を形成することなく、背中又は腰に密着する。
【００３５】
次に、図４に示すように、抜かれた衿１４の状態を崩さないように保持させながら、固定手段１６の左右の自由部１６ｂ（後ろ身頃１２に縫い付け固定されていない部分）を身体の前側に回す。後ろ身頃１２の、固定手段１６が縫い付けられている部分は固定手段１６に引っ張られて身体に固定される（第二ステップ）。固定手段１６の左右の自由部１６ｂは、図５に示すように、身体の前で結ぶ。自由部１６ｂの余った部分は固定手段１６と身体の間に挟み込む（第三ステップ）。
【００３６】
次に、図６に示すように、左右の衿下ベルト１８，１８を引っ張って衿の形を整え、衿下ベルト１８，１８を左右の脇の下（前身頃１０と後ろ身頃１２の間に形成されている縫製されていない隙間）を通して身体の背側に回し、背側で交差させて身体の前側に回す（第四ステップ）。身体の前側に回した衿下ベルト１８，１８は、図７に示すように、身体の前側で結ぶ。前身頃１０と衿１４は衿下ベルト１８，１８によって身体に固定される。衿下ベルト１８，１８の余った部分は衿下ベルト１８，１８と前身頃１０の間に挟み込む（第五ステップ）。
【００３７】
本発明に係る襦袢は、以上、説明したように着付けることができるので、一人で落ち着いて着付けることができ、従って、容易且つきれいに着付けることができる。
【符号の説明】
【００３８】
１０  前身頃
１２  後ろ身頃
１４  衿
１６  固定手段
１６ａ  固定部
１６ｂ  自由部
１８  衿下ベルト
２０  腰紐
Ｓ  背中心
【図１】
2020033669.tif 000003
【図２】
2020033669.tif 000004
【図３】
2020033669.tif 000005
【図４】
2020033669.tif 000006
【図５】
2020033669.tif 000007
【図６】
2020033669.tif 000008
【図７】
2020033669.tif 000009
【図８】
2020033669.tif 000010
【図９】
2020033669.tif 000011
【図１０】
2020033669.tif 000012
【図１１】
2020033669.tif 000013
【図１２】
2020033669.tif 000014